(57)【要約】【課題】アクチュエータの脱落を抑制することが可能なコネクタを提供する。【解決手段】本発明のコネクタ１の筐体２には、前上ビームより上方かつレバー部５３より前方に位置する第１のストッパ２９が形成され、第１の端子３の後下ビーム３５には、カム部５１の後方に位置する第２のストッパ３５ｃが形成される。レバー部５３が第１のストッパ２９に当接するとき、カム部５１が第２のストッパ３５ｃに当接する。【選択図】図２Ａ
2011159452.tif 000002
【特許請求の範囲】
【請求項１】
基部と、前記基部の上部から前方に延び、平型電線の上方に位置する前上ビームと、前記基部の上部から後方に延びる後上ビームと、前記基部の下部から後方に延びる後下ビームと、を有し、前記前上ビームと前記後上ビームとが前記基部の上部を支点として交互に上下動可能な、１または複数の端子と、
前記端子を保持する筐体と、
前記後上ビームと前記後下ビームとの間に位置し、これらの間隔を押し広げる押圧位置と、押し広げを解除する解除位置との間を回動可能なカム部と、前記カム部の回動中心から離れる方向に延び、前記カム部が前記解除位置から前記押圧位置に回動するときに起立した姿勢から後方に倒れるレバー部と、を有するアクチュエータと、
を備え、
前記筐体には、前記前上ビームより上方かつ前記レバー部より前方に位置する第１のストッパが形成され、
前記後下ビームには、前記カム部の後方に位置する第２のストッパが形成され、
前記レバー部が前記第１のストッパに当接するとき、前記カム部が前記第２のストッパに当接する、
ことを特徴とするコネクタ。
【請求項２】
前記レバー部は、前記後上ビームが挿入される隙間が形成された櫛状部と、前記櫛状部より前記カム部から離れた操作部と、を有し、前記操作部に形成された当接面で前記第１のストッパに当接する、
請求項１に記載のコネクタ。
【請求項３】
前記操作部は、前記レバー部が起立した姿勢で前記櫛状部より前方に張り出す、
請求項２に記載のコネクタ。
【請求項４】
前記当接面は、前記レバー部が起立した姿勢で前方かつ下方を向く傾斜面である、
請求項２に記載のコネクタ。
【請求項５】
前記カム部は、前記後上ビームと前記第２のストッパとの間を通って、前記後上ビームと前記後下ビームとの間に挿入される、
請求項１に記載のコネクタ。
【請求項６】
前記カム部が、前記後上ビームと前記後下ビームとの間の、前記第２のストッパより上方かつ前方に位置し、前記レバー部が、起立した姿勢より前傾した姿勢であるときに、前記傾斜面の下端部が前記第１のストッパの上方に位置する、
請求項２に記載のコネクタ。
【発明の詳細な説明】
【技術分野】
【０００１】
本発明は、コネクタに関し、特に、アクチュエータの脱落を抑制する技術に関する。
【背景技術】
【０００２】
ＦＰＣ（Flexible Printed Circuit）やＦＦＣ（Flexible Flat Cable）等の平型電線に用いられるコネクタには、コネクタの端子と平型電線の電極とを加圧接触させるためのアクチュエータが設けられる。
【０００３】
特許文献１に開示されたコネクタの端子は、基部から前方に延びる前ビームと、基部から後方に延びる後ビームとを有しており、前ビームと後ビームとが交互に上下動可能とされている。アクチュエータのカム部は、後ビームの下方に位置しており、後ビームを押し上げることで前ビームを平型電線に接触させる押圧位置と、押し上げを解除する解除位置との間を回動可能とされている。また、アクチュエータは、カム部から離れる方向に延びるレバー部を有しており、レバー部が起立した姿勢から後方に倒されるとき、カム部が解除位置から押圧位置に回動する。
【先行技術文献】
【特許文献】
【０００４】
【特許文献１】特開２００８−１９２４０８号公報
【発明の概要】
【発明が解決しようとする課題】
【０００５】
ところで、特許文献１に開示されたコネクタには、カム部の後方に抜け止めのための立ち上がり部が設けられている。しかしながら、こうした立ち上がり部が設けられていても、起立した姿勢のレバー部に対し、本来の後方ではなく前方に向かう荷重が加えられると、カム部が立ち上がり部を乗り越えて、後方に抜け落ちるおそれがある。
【０００６】
本発明は、上記実情に鑑みて為されたものであり、アクチュエータの脱落を抑制することが可能なコネクタを提供することを主な目的とする。
【課題を解決するための手段】
【０００７】
上記課題を解決するため、本発明のコネクタは、１または複数の端子と、前記端子を保持する筐体と、アクチュエータとを備える。前記端子は、基部と、前記基部の上部から前方に延び、平型電線の上方に位置する前上ビームと、前記基部の上部から後方に延びる後上ビームと、前記基部の下部から後方に延びる後下ビームとを有する。前記前上ビームと前記後上ビームとは、前記基部の上部を支点として交互に上下動可能である。前記アクチュエータは、カム部とレバー部とを有する。前記カム部は、前記後上ビームと前記後下ビームとの間に位置し、これらの間隔を押し広げる押圧位置と、押し広げを解除する解除位置との間を回動可能である。前記レバー部は、前記カム部の回動中心から離れる方向に延び、前記カム部が前記解除位置から前記押圧位置に回動するときに起立した姿勢から後方に倒れる。前記筐体には、前記前上ビームより上方かつ前記レバー部より前方に位置する第１のストッパが形成される。前記後下ビームには、前記カム部の後方に位置する第２のストッパが形成される。前記レバー部が前記第１のストッパに当接するとき、前記カム部が前記第２のストッパに当接する。
【０００８】
上記本発明によると、起立した姿勢のレバー部に対して前方に向かう荷重が加えられても、レバー部が前方に位置する第１のストッパに当接し、カム部が後方に位置する第２のストッパに当接することで、レバー部が前方に倒れることと、カム部が浮き上がることとが同時に抑制され、その結果、アクチュエータの脱落が抑制される。
【０００９】
また、前記レバー部は、前記後上ビームが挿入される隙間が形成された櫛状部と、前記櫛状部より前記カム部から離れた操作部と、を有し、前記操作部に形成された当接面で前記第１のストッパに当接してもよい。これによると、櫛状部に第１のストッパが当接する場合と比較して、当接面積の向上を図ることが可能である。
【００１０】
また、前記操作部は、前記レバー部が起立した姿勢で前記櫛状部より前方に張り出してもよい。これによると、櫛状部より前方に張り出した操作部に第１のストッパが当接するので、第１ストッパをより前方に位置させることが可能である。
【００１１】
また、前記当接面は、前記レバー部が起立した姿勢で前方かつ下方を向く傾斜面であってもよい。これによると、第１のストッパからレバー部に作用する力の方向を、当接面の法線方向に近づけることが可能である。
【００１２】
また、前記カム部は、前記後上ビームと前記第２のストッパとの間を通って、前記後上ビームと前記後下ビームとの間に挿入される。
【００１３】
また、前記カム部が、前記後上ビームと前記後下ビームとの間の、前記第２のストッパより上方かつ前方に位置し、前記レバー部が、起立した姿勢より前傾した姿勢であるときに、前記傾斜面の下端部が前記第１のストッパの上方に位置してもよい。これによると、カム部が下方に降ろされる際に、第１のストッパが傾斜面に接触するので、レバー部が起立した姿勢となるように案内される。
【図面の簡単な説明】
【００１４】
【図１Ａ】本発明の一実施形態に係るコネクタの斜視図である。
【図１Ｂ】同コネクタの前面図である。
【図１Ｃ】同コネクタの上面図である。
【図２Ａ】同コネクタの断面図である。
【図２Ｂ】同コネクタの断面図である。
【図３】同コネクタの断面図である。
【図４Ａ】同コネクタの断面図である。
【図４Ｂ】同コネクタの断面図である。
【図５Ａ】同コネクタの組み立て過程を説明する図である。
【図５Ｂ】同コネクタの組み立て過程を説明する図である。
【図５Ｃ】同コネクタの組み立て過程を説明する図である。
【図５Ｄ】同コネクタの組み立て過程を説明する図である。
【図６Ａ】同コネクタの組み立て過程を説明する図である。
【図６Ｂ】同コネクタの組み立て過程を説明する図である。
【発明を実施するための形態】
【００１５】
本発明のコネクタの実施形態を、図面を参照しながら説明する。
【００１６】
図１Ａないし図１Ｃは、本発明の一実施形態に係るコネクタ１の斜視図、前面図、上面図である。図２Ａないし図４Ｂは、コネクタ１の断面図である。図２Ａ及び図３は、カム部５１が解除位置にある状態を表し、図２Ｂは、カム部５１が押圧位置にある状態を表す。図５Ａないし図６Ｂは、コネクタ１の組み立て過程を説明する図である。
【００１７】
図１Ａないし図１Ｃに示されるように、コネクタ１は、絶縁性の樹脂材料により成型された概略扁平箱状の筐体２を有している。この筐体２の前面には挿入口１ａが位置しており、そこに不図示の平型電線の端部が挿入される。平型電線は、ＦＰＣやＦＦＣ等であり、本実施形態では、端部の両面に電極群が形成されている。筐体２の内部には、導電性の金属薄板を打ち抜いて成形された第１の端子３と第２の端子４とが、所定間隔で交互かつ平行に配置されている。筐体２の上部後側には、絶縁性の樹脂材料により成型され、左右に延びた横長のアクチュエータ５が取り付けられている。また、筐体２の左右の端部には、金属薄板を折り曲げて成型された支持金具６が取り付けられている。
【００１８】
筐体２は、上下に対向する概略板状の頂部２１及び底部２３と、これらの左右の端部を連結する側部２５とを有している。頂部２１と底部２３の間に形成される空間は、第１の端子３及び第２の端子４を収容するための空間とされる。頂部２１及び底部２３の各々には、第１の端子３及び第２の端子４の各々を挿入するための前後方向に延びる溝が、複数形成されている。頂部２１は、底部２３の後部を除く範囲の上方を覆っている。頂部２１の後端部は、左右に延びる縁部となっており、後述するように第１のストッパ２９として機能する。
【００１９】
図２Ａ及び図２Ｂに示されるように、第１の端子３は、概略Ｈ字状に成形されている。すなわち、第１の端子３は、上下方向に延びる基部３１と、基部３１の上部から前方に延びる前上ビーム３２と、基部３１の上部から後方に延びる後上ビーム３３と、基部３１の下部から前方に延びる前下ビーム３４と、基部３１の下部から後方に延びる後下ビーム３５とを有している。
【００２０】
基部３１は、筐体２内の前後方向の中央部に位置し、前上ビーム３２は、基部３１の上部から筐体２の頂部２１の下面に沿って挿入口１ａ付近まで延びている。前上ビーム３２は、挿入口１ａから筐体２内に挿入された平型電線９９の上方に位置する。前上ビーム３２の先端部には、下方に突出する接点部３２ａが形成されており、この接点部３２ａは、平型電線９９の上面に設けられた端子と接触する。後上ビーム３３は、基部３１の上部から頂部２１の後端部よりも後方まで延びている。後上ビーム３３は、アクチュエータ５のカム部５１の上方に位置し、櫛状部５５の隙間に挿入される。前上ビーム３２と後上ビーム３３は、基部３１の上部を支点として交互に上下動するように弾性変形可能である。
【００２１】
前下ビーム３４は、基部３１の下部から筐体２の底部２３の上面に沿って挿入口１ａ付近まで延びている。前下ビーム３４は、挿入口１ａから筐体２内に挿入された平型電線９９の下方に位置する。前下ビーム３４は、中途から二股に分かれて前方に延びている。このうち、上側に位置する上側枝部３４ａは、上下方向に弾性変形可能である。上側枝部３４ａの先端部には、上方に突出する接点部３４ｃが形成されており、この接点部３４ｃは、平型電線９９の下面に設けられた端子と接触する。他方、下側に位置する下側枝部３４ｂは、筐体２の底部２３の前端部から上方に張り出す支持部２８により支持される。支持部２８には、後方に向けて開放された挿入孔２８ａが形成されており、この挿入孔２８ａに下側枝部３４ｂの先端部が挿入される。
【００２２】
後下ビーム３５は、基部３１の下部から後方に階段状に延び、底部２３の後端部よりも後方まで至っている。後下ビーム３５は、基端側に位置する基端部３５ａと、基端部３５ａの後斜め上方に位置する当接部３５ｂと、当接部３５ｂの後斜め上方に位置する第２のストッパ３５ｃとを有している。当接部３５ｂは、アクチュエータ５のカム部５１の下方に位置し、カム部５１と当接する。第２のストッパ３５ｃは、後上ビーム３３の先端部の下方に位置し、当接部３５ｂよりも上方に突出している。第２のストッパ３５ｃは、アクチュエータ５のカム部５１の後方に位置する。後下ビーム３５の後端部には、底部２３の後端部の後方に位置し、底部２３の下面よりもやや下方まで張り出した接点部３６が設けられている。接点部３６は、コネクタ１が取り付けられる回路基板の表面に設けられた端子と接触する。
【００２３】
図３に示されるように、第２の端子４は、上記第１の端子３と同様に、概略Ｈ字状に成形されている。すなわち、第２の端子４は、上下方向に延びる基部４１と、基部４１の上部から前方に延びる前上ビーム４２と、基部４１の上部から後方に延びる後上ビーム４３と、基部４１の下部から前方に延びる前下ビーム４４と、基部４１の下部から後方に延びる後下ビーム４５とを有している。
【００２４】
基部４１は、筐体２内の前後方向の中央部に位置し、前上ビーム４２は、基部４１の上部から筐体２の頂部２１の下面に沿って挿入口１ａ付近まで延びている。前上ビーム４２は、挿入口１ａから筐体２内に挿入された平型電線９９の上方に位置する。前上ビーム４２の中途部には、下方に突出する接点部４２ａが形成されており、この接点部４２ａは、平型電線９９の上面に設けられた端子と接触する。この前上ビーム４２の中途部に形成された接点部４２ａと、上記第１の端子３の前上ビーム３２の先端部に形成された接点部３２ａとは、前後方向に離れて千鳥状に配列する。後上ビーム４３は、基部４１の上部から頂部２１の後端部よりも後方まで延びている。後上ビーム４３は、アクチュエータ５のカム部５１の上方に位置し、櫛状部５５の隙間に挿入される。前上ビーム４２と後上ビーム４３は、基部４１の上部を支点として交互に上下動するように弾性変形可能である。
【００２５】
前下ビーム４４は、基部４１の下部から筐体２の底部２３の上面に沿って挿入口１ａ付近まで延びている。前下ビーム４４は、挿入口１ａから筐体２内に挿入された平型電線９９の下方に位置する。前下ビーム３４は、先端側から後方に延びる上側枝部４４ａを有している。上側枝部４４ａは、上下方向に弾性変形可能である。上側枝部３４ａの先端部には、上方に突出する接点部４４ｃが形成されており、この接点部４４ｃは、平型電線９９の下面に設けられた端子と接触する。この前下ビーム４４の中途部に形成された接点部４４ｃと、上記第１の端子３の前下ビーム３４の先端部に形成された接点部３４ｃとは、前後方向に離れて千鳥状に配列する。前下ビーム４４の前端部には、底部２３の前端部の前方に位置し、底部２３の下面よりもやや下方まで張り出した接点部４６が設けられている。接点部４６は、コネクタ１が取り付けられる回路基板の表面に設けられた端子と接触する。
【００２６】
後下ビーム４５は、基部３１の下部から筐体２の底部２３の上面に沿って底部２３の後端付近まで延びている。後下ビーム４５は、アクチュエータ５のカム部５１の下方に位置し、カム部５１と当接する。後下ビーム４５の基端部には、上方に突出する鋸歯状の圧入部４５ａが形成されている。圧入部４５ａは、筐体２の内部に設けられた支持部２７の下面に食い込む。支持部２７は、後上ビーム４３と後下ビーム４５の間で、アクチュエータ５のカム部５１の前方に位置する。
【００２７】
アクチュエータ５は、左右に延びる概略矩形板状に成形されている。アクチュエータ５の一方の長辺側は、使用者が指で回動操作するための操作部５７とされる。アクチュエータ５の他方の長辺側には、スリット状の隙間が左右に配列する櫛歯状の櫛状部５５が設けられている。櫛状部５５の先端部は、断面非円形のカム部５１によって連結されている。カム部５１は、第１の端子３の後上ビーム３３と後下ビーム３５の間又は第２の端子４の後上ビーム４３と後下ビーム４５の間に配置される。櫛状部５５の隙間には、第１の端子３の後上ビーム３３又は第２の端子４の後上ビーム４３が挿入される。カム部５１の回動中心から離れる方向に延びる櫛状部５５と操作部５７は、カム部５１を回動させるためのレバー部５３として機能する。
【００２８】
カム部５１は、アクチュエータ５の厚さ方向に長径方向が近接するように設けられている。櫛状部５５は、カム部５１の長径方向の長さと同程度の厚さを有している。操作部５７は、アクチュエータ５の厚さ方向の一方に櫛状部５５よりも張り出して、櫛状部５５よりも厚く形成されている。操作部５７の張り出し部分のうち、櫛状部５５に近い側には、櫛状部５５に向けて傾斜した当接面５７ａが形成されている。図２Ａに示されるようにアクチュエータ５が起立した姿勢のとき、操作部５７が櫛状部５５よりも前方に張り出すと共に、当接面５７ａが前方かつ下方を向く。
【００２９】
カム部５１は、レバー部５３の先端側に設けられた操作部５７が使用者に操作されることによって、図２Ａ及び図３に示される解除位置と、図２Ｂに示される押圧位置との間で回動する。図２Ｂに示される押圧位置において、カム部５１は、長径方向が上下方向に沿った姿勢となり、第１の端子３の後上ビーム３３を上方に押し上げる。具体的には、後上ビーム３３と後下ビーム３５の当接部３５ｂとの間隔は、カム部５１の長径よりも狭く設定されており、カム部５１が起き上がることで押し広げられる。また、後下ビーム３５は下方側に位置する底部２３に当接し、変位が制限されていることから、カム部５１は、後上ビーム３３を特に変位させる。
【００３０】
このように、第１の端子３の後上ビーム３３がカム部５１により上方に押し上げられることで、第１の端子３の前上ビーム３２が下方に押し下げられて、筐体２内に挿入された平型電線９９の上面に接触する。このとき、平型電線９９は、前上ビーム３２と前下ビーム３４とに挟み込まれる。これにより、第１の端子３の接点部３２ａ，３４ｃが、平型電線９９の両面に設けられた電極に加圧接触される。なお、第２の端子４も、第１の端子３と同様に、カム部５１によって変形される。
【００３１】
他方、図２Ａ及び図３に示される解除位置において、カム部５１は、長径方向が前後方向に沿った姿勢となり、第１の端子３の後上ビーム３３及び第２の端子４の後上ビーム４３から離れて、これらの押し上げを解除する。この解除により、第１の端子３の前上ビーム３２及び第２の端子４の前上ビーム４２は、押し下げられた状態から復帰し、平型電線９９の上面から離れる。これにより、平型電線９９は、第１の端子３の前上ビーム３２と前下ビーム３４による挟み込みと、第２の端子４の前上ビーム４２と前下ビーム４４による挟み込みとから解放され、挿入口１ａから挿抜可能な状態になる。
【００３２】
レバー部５３は、カム部５１が図２Ａ及び図３に示される解除位置にあるとき、カム部５１からの延伸方向が上下方向に沿うように、起立した姿勢となる。そして、レバー部５３が、使用者により起立した姿勢から後方に倒されると、カム部５１は、解除位置から回動し、図２Ｂに示される押圧位置に至る。このように、本実施形態のコネクタ１は、バックフリップタイプのコネクタとして構成されている。
【００３３】
ここで、図２Ａ及び図３に示されるようにレバー部５３が起立した姿勢のとき、レバー部５３の当接面５７ａの前方には、筐体２の頂部２１の後端部に設けられた第１のストッパ２９が位置する。このため、起立した姿勢のレバー部５３に対し、本来の後方ではなく前方に向かう荷重が加えられると、レバー部５３の当接面５７ａは、第１のストッパ２９に当接する。このとき、レバー部５３には、当接面５７ａと第１のストッパ２９の接触点を中心に回転する力が働き、カム部５１は、当接部３５ｂから離れて後斜め上方に浮き上がろうとする。しかしながら、図２Ａに示される第１の端子３には、カム部５１の後方の位置に第２のストッパ３５ｃが形成されているため、カム部５１は、第２のストッパ３５ｃに当接し、その結果、カム部５１の浮き上がりが抑制される。これにより、アクチュエータ５の脱落が抑制される。なお、カム部５１の浮き上がりを抑制するため、第２のストッパ３５ｃは、少なくともカム部５１の短径と同じだけ若しくはそれ以上、当接部３５ｂから上方に突出することが好ましい。
【００３４】
また、本実施形態では、レバー部５３の操作部５７に設けられた左右に延びる当接面５７ａと、筐体２の頂部２１の左右に延びる後端部である第１のストッパ２９とが当接するので、当接面積の向上を図ることが可能である。また、本実施形態では、起立した姿勢のレバー部５３のうち櫛状部５５よりも前方に張り出した操作部５７に第１のストッパ２９が当接するので、筐体２の頂部２１の後端部を必要以上に後方に張り出させる必要がない。また、本実施形態では、レバー部５３が起立した姿勢のときに当接面５７ａが前方かつ下方を向くので、前方に倒れようとするレバー部５３の当接面５７ａに、第１のストッパ２９が当接面５７ａの法線方向に近い方向で突き当たり、その結果、第１のストッパ２９に当接したときのレバー部５３の位置ずれを抑制することが可能である。
【００３５】
図４Ａ及び図４Ｂに示されるように、支持金具６は、前後方向に延びる内側部６１及び外側部６３を有している。内側部６１と外側部６３は、後部に設けられた連結部６５によって連結されている（図１Ｃを参照。）。内側部６１は、下方に開放された概略Ｕ字状の固定部６１ａと、固定部６１ａから前方に延びるビーム部６１ｂとを有している。固定部６１ａは、筐体２の側部２５の内側後部に形成された溝部２５ａ内に、開放側が下方を向くように配置されている。固定部６１ａは、アクチュエータ５の軸部５９を上方側から押さえ付ける。軸部５９は、カム部５１の左右外方に当たる位置に設けられており、回動の中心となる。ビーム部６１ｂは、筐体２の側部２５から片持ち状に前方に延びる支持アーム２５ｂによって下方側から支持されている。ビーム部６１ｂの先端部には、下方に突出する鉤部６１ｃが形成されている。鉤部６１ｃは、平型電線９９の端部の両側に設けられた耳部（不図示）に引っ掛かり、平型電線９９の抜け止めとして機能する。
【００３６】
外側部６３は、前部から下方に延びる固定部６３ａと、中央部から下方に延びる固定部６３ｂとを有している。固定部６３ａは、筐体２の側部２５の外側前部に形成された上下方向に延びる穴部２５ｃ内に挿入され、穴部２５ｃの下端まで至っている。固定部６３ａの後方側は、穴部２５ｃの側壁に食い込むように鉤状に形成されている。固定部６３ａは、側部２５の隙間部２５ｅから左右外方に露出しており（図１Ａを参照。）、この隙間部２５ｅを利用して回路基板の表面に半田付けされる。他方、固定部６３ｂは、筐体２の側部２５の外側中央部に形成された、上下方向に延びる穴部２５ｄ内に挿入されている。固定部６３ｂの前方側は、穴部２５ｄの側壁に食い込むように鉤状に形成されている。
【００３７】
図５Ａないし図６Ｂは、コネクタ１の組み立て過程を説明する図である。まず、図５Ａに示されるように、筐体２内には、前方側（すなわち、挿入口１ａ側）から第２の端子４が挿入される。次に、図５Ｂに示されるように、筐体２内には、後方側から第１の端子３が挿入される。次に、図５Ｃに示されるように、筐体２には、後方側からアクチュエータ５が取り付けられる。その後、図５Ｄに示されるように、筐体２の側部２５には、上方側から支持金具６が取り付けられる。こうして得られるコネクタ１は、第１の端子３の接点部３６、第２の端子４の接点部４６及び支持金具６の固定部６３ｃが回路基板の表面に半田付けされることで、回路基板上に固定される。
【００３８】
図６Ａ及び図６Ｂに示されるように、筐体２にアクチュエータ５が取り付けられる際には、アクチュエータ５のレバー部５３は、カム部５１の長径方向が前後方向と一致するように、起立した姿勢よりもやや前傾した姿勢となる。カム部５１は、長径方向が前後方向と一致した状態で、第１の端子３の後上ビーム３３と第２のストッパ３５ｃの間を通って、後上ビーム３３と当接部３５ｂの間に挿入される。このとき、レバー部５３の当接面５７ａの下端部は、第１のストッパ２９の上方に位置する。すなわち、カム部５１が、後上ビーム３３と当接部３５ｂの間に挿入され、第２のストッパ３５ｃより上方かつ前方に位置するとき、第１のストッパ２９の真上に当接面５７ａの下端部が位置する。これによると、カム部５１が下方に降ろされて、当接部３５ｂに向かう際に、レバー部５３は、当接面５７ａに第１のストッパ２９が当接することによって、起立した姿勢となるように案内される。
【００３９】
以上、本発明の実施形態について説明したが、本発明は上記実施形態に限定されるものではなく、種々の変形実施が当業者にとって可能であるのはもちろんである。
【符号の説明】
【００４０】
１  コネクタ、２  筐体、２１  頂部、２３  底部、２５  側部、２５ａ  溝部、２５ｂ  支持アーム、２５ｃ，２５ｄ  穴部、２５ｅ  隙間部、２７，２８  支持部、２８ａ  挿入孔、２９  第１のストッパ、３  第１の端子、３１  基部、３２  前上ビーム、３２ａ  接点部、３３  後上ビーム、３４  前下ビーム、３４ａ  上側枝部、３４ｂ  下側枝部、３４ｃ  接点部、３５  後下ビーム、３５ａ  基端部、３５ｂ  当接部、３５ｃ  第２のストッパ、３６  接点部、４  第２の端子、４１  基部、４２  前上ビーム、４２ａ  接点部、４３  後上ビーム、４４  前下ビーム、４４ａ  上側枝部、４４ｃ  接点部、４５  後下ビーム、４５ａ  圧入部、４６  接点部、５  アクチュエータ、５１  カム部、５３  レバー部、５５  櫛状部、５７  操作部、５７ａ  当接面、５９  軸部、６  支持金具、６１  内側部、６１ａ  固定部、６１ｂ  ビーム部、６１ｃ  鉤部、６３  外側部、６３ａ  固定部、６３ｂ  固定部、６５  連結部、９９  平型電線。
【図１Ａ】
2011159452.tif 000003
【図１Ｂ】
2011159452.tif 000004
【図１Ｃ】
2011159452.tif 000005
【図２Ａ】
2011159452.tif 000006
【図２Ｂ】
2011159452.tif 000007
【図３】
2011159452.tif 000008
【図４Ａ】
2011159452.tif 000009
【図４Ｂ】
2011159452.tif 000010
【図５Ａ】
2011159452.tif 000011
【図５Ｂ】
2011159452.tif 000012
【図５Ｃ】
2011159452.tif 000013
【図５Ｄ】
2011159452.tif 000014
【図６Ａ】
2011159452.tif 000015
【図６Ｂ】
2011159452.tif 000016